(57)【要約】【課題】建造物に設けられたコの字形断面の配管溝に排水管を取付ける場合に使用される管支持金具において、その取付け作業の施工能率が高く、また取付け後のがたつきがなく、配管溝から排水管が露出しないようにすることである。【解決手段】管支持金具４を配管溝２底面に固定する固定金具５と、その固定金具５に連結され排水管３の回りに巻かれる締付バンド６、６’とにより構成し、締付バンド６、６’を締結手段１０により引き締めるようにした。【選択図】  図２
2004218412.tif 000002
【特許請求の範囲】
【請求項１】
建造物の壁面に排水管を取付ける場合に使用される管支持金具において、該管支持金具を壁面に固定する固定金具と、その固定金具に連結され前記排水管の回りに巻かれる締付けバンドとにより構成したことを特徴とする管支持金具。
【請求項２】
前記建造物の壁面にコの字形断面の配管溝が設けられ、該配管溝に取付けられた前記排水管が矩形又は円形断面を有することを特徴とする請求項１に記載の管支持金具。
【請求項３】
前記固定金具が壁面に対する固定部と、締付けバンドに対する連結部を有し、該締付バンドがスチールバンドにより構成されたことを特徴とする請求項１又は２に記載の管支持金具。
【請求項４】
前記固定金具に前記排水管外周面の曲面に添うよう湾曲した支持面を設けたことを特徴とする請求項１から３のいずれかに記載の管支持金具。
【請求項５】
前記固定金具を前記排水管の胴回りに添った帯状金属片により構成するとともに、その両端部に前記配管溝の内側面に沿って外向きに屈曲された連結部を設け、前記締付バンドを左右一対のスチールバンドにより構成し、各スチールバンドの一端部を前記固定金具の連結部に固定するとともに、その他端部相互を締結手段により引き締めるようにしたことを特徴とする請求項３又は４に記載の管支持金具。
【請求項６】
前記固定金具を前記排水管の胴回りに添った帯状金属片による構成するとともに、前記締付バンドを１本のスチールバンドにより構成し、そのスチールバンドの前記固定金具に対する連結部として該固定金具に一対のスリットを設け、その一方のスリットにおいて前記スチールバンドを該固定金具の表面側から裏面側に挿通するとともに他方のスリットにおいて裏面側から表面側に挿通し、該スチールバンドの両端部相互を締結手段により引き締めるようにしたことを特徴とする請求項３又は４に記載の管支持金具。
【請求項７】
前記固定金具を前記排水管の胴回りに添った帯状金属片により構成するとともに、前記締付バンドを１本のスチールバンドにより構成し、そのスチールバンドの前記固定金具に対する連結部として該スチールバンドの一部を該固定金具にリベット止めしたことを特徴とする請求項３又は４に記載の管支持金具。
【請求項８】
前記固定金具が前記排水管の長さ方向に沿って配置され、その長さ方向の両端部に前記壁面に対する固定部を設けるとともに、その固定部間に裏面側に開放されたバンド挿通溝により締付けバンドとの連結部を構成したことを特徴とする請求項３に記載の管支持金具。
【発明の詳細な説明】
【０００１】
【発明の属する技術分野】
この発明は、建造物の壁面に排水管を配管する場合に用いられる管支持金具に関するものである。
【０００２】
【従来の技術】
高速道路等の橋脚部分の排水のために、橋脚に上下方向のコ字形断面の配管溝を設け、その配管溝に矩形断面の排水管を配管するとともに、その配管の上端を橋脚側の配管と接続するような排水構造をとることが従来から知られている（例えば、特許文献１参照）。
【０００３】
上記の排水管を配管溝に固定する手段として、前掲の特許文献１においては、コの字形の固定金具を配管溝の底面に上下方向に所定の間隔で固定する一方、排水管の背面に前記固定金具と同一間隔で係止金具を固着し、それぞれの係止金具を配管溝側の各固定金具に係止するようにしている。
【０００４】
【特許文献１】
特開２００２−２２０８１４号公報（図１から図３、段落００１０から００１４）
【０００５】
【発明が解決しようとする課題】
前記特許文献１に記載された排水構造は、配管溝の固定金具と排水管の係止金具のいずれも排水管の背面に隠れるため、正面側から見た場合は配管溝に収まった排水管の外観のみが見え体裁がよい利点がある。しかし、固定金具と係止金具の取付け寸法に高い精度が要求されるため、施工能率が低い欠点がある。また、固定金具と係止金具相互間の係止すき間の存在により、排水管のがたつきの原因となる問題もある。
【０００６】
そこで、この発明は、建造物の壁面に排水管を配管するに際して、取付けの精度に融通性があり、またがたつきの生じない取付け構造をもった管支持金具を提供することを課題とする。
【０００７】
【課題を解決するための手段】
前記の課題を解決するために、この発明は、建造物の壁面に排水管を取付ける場合に使用される管支持金具において、該管支持金具を壁面に固定する固定金具と、その固定金具に連結され前記排水管の回りに巻かれる締付けバンドとにより構成した。この構成によると、管支持金具は壁面側にのみ固定され、排水管側にはこれに対応した金具は何もないので、管支持金具の固定位置の精度が問題となることがない。また、排水管は締付バンドにより前記の管支持金具に対して締付けられるので、がたつきが生じる恐れはない。
【０００８】
前記の建造物の壁面は、平坦な場合もあるが、予めコの字形断面の配管溝が設けられる場合がある。また、該配管溝に取付けられた前記排水管は、矩形断面又は円形断面のいずれでもよい。ここにいう矩形断面には、４隅がアールを含む場合、その４隅間の壁面が若干膨出する形状のものも含まれる。
【０００９】
また、前記固定金具が壁面に対する固定部と、締付けバンドに対する連結部を有し、該締付バンドがスチールバンドにより構成されたものも含まれる。
前記固定金具に前記排水管外周面の曲面に添うよう湾曲した支持面を設けた構成とする場合もある。さらに、前記固定金具を前記排水管の胴回りに添った帯状金属片により構成するとともに、その両端部に前記配管溝の内側面に沿って外向きに屈曲された連結部を設け、前記締付バンドを左右一対のスチールバンドにより構成し、各スチールバンドの一端部を前記固定金具の連結部に固定するとともに、その他端部相互を締結手段により引き締めるようにした構成も含まれる。
【００１０】
さらに、前記固定金具を前記排水管の胴回りに添った帯状金属片により構成するとともに、前記締付バンドを１本のスチールバンドにより構成し、そのスチールバンドの前記固定金具に対する連結部として該固定金具に一対のスリットを設け、その一方のスリットにおいて前記スチールバンドを該固定金具の表面側から裏面側に挿通するとともに他方のスリットにおいて裏面側から表面側に挿通し、該スチールバンドの両端部相互を締結手段により引き締めるようにした構成、さらに前記固定金具を前記排水管の胴回りに添った帯状金属片により構成するとともに、前記締付バンドを１本のスチールバンドにより構成し、そのスチールバンドの前記固定金具に対する連結部として該スチールバンドの一部を該固定金具にリベット止めした構成をとることもできる。
【００１１】
また、前記固定金具が前記排水管の長さ方向に沿って配置され、その長さ方向の両端部に前記壁面に対する固定部を設けるとともに、その固定部間に裏面側に開放されたバンド挿通溝により締付けバンドとの連結部を構成するようにしてもよい。
【００１２】
【発明の実施の形態】
以下、この発明の実施形態を添付図面に基づいて説明する。図１から図３は第１実施形態の管支持金具４に関するものである。この管支持金具４は、高速道路の橋脚等の建造物１に設けられた上下方向のコの字形配管溝２内に矩形断面の排水管３を配管する場合に用いられる。管支持金具４は、上下方向に所定の間隔をおいて配管溝２の底面に固定され、排水管３の胴回りに固定される。
【００１３】
図２（ａ）（ｂ）は前記管支持金具４の詳細を示している。この管支持金具４は、固定金具５と、一対の締付バンド６、６’とにより構成される。図３に示すように、固定金具５は、配管溝２の長さ方向と直角方向に配置され、所要幅の帯状金属片の両端部を配管溝２の内面に沿うよう外向きに屈曲して連結部７，７を設けたものである。一方の締付バンド６は、スチールバンドの一端部に一定ピッチのノッチ８を多数設けたものであり、他方の締付バンド６’はスチールバンドの一端部に上記のノッチ８にかみ合うウォームねじ９を有する締結手段１０を設けたものである。これらの締付バンド６、６’の他端部は、それぞれ前記の連結部７、７の外側面にリベット１１により固着され、通常の状態ではノッチ８側端部と締結手段１０側端部は分離された状態にある。
【００１４】
前記の管支持金具４を用いて排水管３を配管溝２に取付ける場合の施工方法は、その固定金具５を固定部としてのアンカーボルト１２により配管溝２の底面に固定し、その後、固定金具５の前面に排水管３を配管する。固定金具５の全長は矩形断面の排水管３の長辺の長さに等しい。またその排水管３を固定金具５に当接させた状態では、排水管３の前面側は配管溝２の外部に露出しない。
【００１５】
上記のようにして排水管３を配管したのち、左右の締付バンド６、６’を引き寄せ、ノッチ８側端部を締結手段１０側に差込み、ウォームねじ９を操作して締結バンド６、６’を排水管３の回りに緊締する。これにより、排水管３はがたつきなく固定金具５に対して締付けられる。
【００１６】
次に、図４（ａ）（ｂ）に示した第２実施形態は、前記第１実施形態の固定金具５の前面にゴム製の間隔ピース１３を接着したものであり、使用状態においては、その間隔ピース１３が固定金具５と排水管３の背面との間に介在される。間隔ピース１３は建造物１から排水管３に伝達される振動を吸収する作用をなす。その他の構成は第一実施形態と重複するので、同一部分には同一符号を付して示すにとどめ説明を省略する。重複部分についての説明を省略することは、以下の実施形態においても同様である。
【００１７】
次に、図５（ａ）（ｂ）に示した第３実施形態は、固定金具５の両端部に設けた連結部７，７の長さを、排水管３の短辺の半分を超える長さに設定し、固定金具５の形状をコの字状に形成したものである。排水管３はそのコの字状の固定金具５の内側に内接状態で抱持される。その他の構成は第１実施形態の場合と同じである。
【００１８】
図６（ａ）（ｂ）で示した第４実施形態は、固定金具５の連結部７、７が前記の第３実施形態の場合と同様に長く形成され、その固定金具５の主体部分と左右の連結部７、７に、それぞれ一対のスリット１４、１４が設けられる点、及び締結バンド６が１本のスチールバンドの一端部に前記のノッチ８（図３参照）、他端部にウォームねじ９を有する締結手段１０を設けたものである。スチールバンドを各スリット１４、１４の内側から外側、外側から内側へ順次挿通することにより、締付バンド６と固定金具５が一体化され、管支持金具４が構成される。締結手段１０にノッチ８側端部を差込み、ウォームねじ９を操作することにより、締付バンド６を排水管３の回りに緊締する。
【００１９】
図７（ａ）（ｂ）に示した第５実施形態は、前記の第１実施形態の場合において、固定金具５の中心部の両側にその表面側（排水管３側の面）に向けて浅い角度で切り起された一対の切起こし片１４’、１４’を設けたものである。各切起こし片１４’は、中心部側が屈曲部となり連結部７側が切離され、前記のように表面側に浅い角度で屈曲され、それぞれの傾斜した表面１５、１５と、その中間部分の平坦面１６とにより、ほぼ排水管３の膨出した面に沿うように全体として湾曲した支持面１７が形成される。排水管３はこの支持面１７に沿うことにより接触面が増え安定よく支持される。
【００２０】
図８（ａ）（ｂ）（ｃ）に示した第６実施形態は、固定金具５の両端部にＬ字形の固定脚部１８、１８を設け、その平坦部を前記と同様のアンカーボルト１２により固定するようにしている。その固定脚部１８、１８の立ち上がり部間に浅く湾曲した支持面１７を形成する。また、締付けバンド６は１本のスチールバンドにより形成され、その締付けバンド６の中間部を前記の支持面１７に沿わせ、２本のリベット１９により連結している。この場合、図８（ｃ）に示すように、支持面１７に長さ方向の溝２１を設け、その溝２１内に前記の締付けバンド６を嵌入させることにより、支持面１７に対し排水管３を密着させることができる。
【００２１】
図９（ａ）（ｂ）に示した第７実施形態は、固定金具５の両端部に前記の場合と同様の固定脚部１８、１８を設けるとともに、各固定脚部１８、１８の立ち上がり部にそれぞれ締付けバンド６との連結部としてのスリット２２、２２を設けている。締付けバンド６は１本のスチールバンドにより形成され、その締付けバンド６を一方のスリット２２に挿通し、支持面１７の裏面を通って他方のスリット２２から引き出すようにしたものである。
【００２２】
以上の各実施形態においては、排水管３を矩形断面のものとして説明してきたが、その断面形状は矩形に限らず、たとえば図１０に示した第８実施形態のように円形断面であってもよい。図示の場合、固定金具５は前記の第７実施形態の場合と同様にスリット２２、２２を有するものであるが、支持面１７は円弧状に湾曲される。
【００２３】
図１１（ａ）（ｂ）に示した第９実施形態は、固定金具５が上下方向（排水管３の長さ方向）に長い金属板の中間部分を屈曲して、背面に開放された左右方向（水平方向）のバンド挿通溝２３を設けたものであり、そのバンド挿通溝２３の上下端部にアンカーボルト１２を通して配管溝２の底面に固定するようになっている。そのバンド挿通溝２３が締付けバンド６との連結部となり、締付バンド６を形成する１本のスチールバンドが挿通され、その締付バンド６を締付けると、排水管３はバンド挿通溝２３の反対面の支持面１７に押し付けられて締付けられる。
【００２４】
また、以上のすべての実施形態は、いずれも建造物１の壁面に設けられた断面コの字形の配管溝２に排水管３を配管する場合について述べたが、いずれの実施形態も、配管溝２内に配管する場合に限らず、図１２に示したように、建造物１の平坦な壁面に取付ける場合においても同様に適用することができる。図示の場合、前記の第１実施形態の管支持金具４の場合を示しているが、他の実施形態の場合でも同様である。
【００２５】
【発明の効果】
以上のように、この発明は、建造物の壁面に排水管を取付ける場合に使用される管支持金具において、管支持金具を壁面に固定する固定金具と、その固定金具に連結され前記排水管の回りに巻かれる締付けバンドとにより構成したことにより、排水管は単に締付バンドにより締付けられるだけであるから、管支持金具と排水管との位置精度を高く維持する必要がない。このため、施工能率が向上する。また、排水管は締付バンドにより緊締されるので、がたつきを生じることもない。
【００２６】
さらに、排水管は固定金具に直接又は間隔ピースを介して間接的に押し当てられるようになっており、排水管を配管溝の底面に対し接近して取付けることができるので、排水管が配管溝から露出することを避けることができる。また、固定金具の排水管に当接する支持面を排水管に添うよう湾曲させることにより、排水管を安定よく支持することができる。
【図面の簡単な説明】
【図１】第１実施形態の一部断面で示す斜視図
【図２】（ａ）同上の横断平面図
（ｂ）同上の一部側面図
【図３】同上の一部拡大斜視図
【図４】（ａ）第２実施形態の横断平面図
（ｂ）同上の一部側面図
【図５】（ａ）第３実施形態の横断平面図
（ｂ）同上の一部側面図
【図６】（ａ）第４実施形態の横断平面図
（ｂ）同上の一部側面図
【図７】（ａ）第５実施形態の横断平面図
（ｂ）同上の斜視図
【図８】（ａ）第６実施形態の横断平面図
（ｂ）同上の斜視図
（ｃ）同上の変形例の一部断面図
【図９】（ａ）第７実施形態の横断平面図
（ｂ）同上の固定金具の斜視図
【図１０】（ａ）第８実施形態の横断平面図
（ｂ）同上の固定金具の斜視図
【図１１】（ａ）第９実施形態の横断平面図
（ｂ）同上の一部側面図
【図１２】第１０実施形態の一部断面で示す斜視図
【符号の説明】
１  建造物
２  配管溝
３  排水管
４  管支持金具
５  固定金具
６、６’  締付バンド
７  連結部
８  ノッチ
９  ウォームねじ
１０  締結手段
１１  リベット
１２  アンカーボルト
１３  間隔ピース
１４  スリット
１４’  切起こし片
１５  表面
１６  平坦面
１７  支持面
１８  固定脚部
１９  リベット
２１  溝
２２  スリット
２３  バンド挿通溝
【図１】
2004218412.tif 000003
【図２】
2004218412.tif 000004
【図３】
2004218412.tif 000005
【図４】
2004218412.tif 000006
【図５】
2004218412.tif 000007
【図６】
2004218412.tif 000008
【図７】
2004218412.tif 000009
【図８】
2004218412.tif 000010
【図９】
2004218412.tif 000011
【図１０】
2004218412.tif 000012
【図１１】
2004218412.tif 000013
【図１２】
2004218412.tif 000014